(57)【要約】消費できる食料品または飲料品のためのパッケージング（２０）であって、パッケージング（２０）は、その中に上記食料品または飲料品を保管するように構成されており、上記パッケージングの外周の表面の凹部が、少なくとも部分的に、小冊子を収容する形状となっており、上記小冊子は、パッケージに入っている商品とは関係のない情報を掲載しており、上記情報はニュースあるいは娯楽記事を含むことが可能である。
2008522904.tif 000002
【特許請求の範囲】
【請求項１】
食料品または飲料品のためのパッケージングであって、
上記パッケージングは、その中に上記食料品または飲料品を保管するように構成されており、上記パッケージングの外周の表面が、少なくとも部分的に、小冊子を収容する凹部を有していることを特徴とするパッケージング。
【請求項２】
上記パッケージングは、略管状であることを特徴とする請求項１に記載のパッケージング。
【請求項３】
上記小冊子の裏面が上記凹部の中に収容されるとき、上記小冊子の正面は、パッケージングの外周の表面と略平行であることを特徴とする請求項１または２に記載のパッケージング。
【請求項４】
上記凹部は、上記小冊子を上記パッケージングに連結するように構成されていることを特徴とする請求項１〜３のいずれか１項に記載のパッケージング。
【請求項５】
上記凹部は、留め具を介して、上記小冊子を上記パッケージングに連結するように構成されていることを特徴とする請求項４に記載のパッケージング。
【請求項６】
上記小冊子が上記凹部の中に収容されたときに、上記小冊子を上記パッケージングに連結するように、上記凹部を覆うように広がるパッチを含んでいることを特徴とする請求項１〜５のいずれか１項に記載のパッケージング。
【請求項７】
上記パッチは、留め具によって、上記パッケージングの外周の表面に固定されていることを特徴とする請求項６に記載のパッケージング。
【請求項８】
上記パッチは、上記食料品または飲料品のための第２のパッケージングであることを特徴とする請求項６または７に記載のパッケージング。
【請求項９】
上記凹部の第１および第２の対向する面は、それぞれの反対の面へ凹部の上に延びる対応する突起を含んでおり、
上記小冊子が上記凹部の中に収容され、それによって上記小冊子を上記パッケージングに連結するとき、上記突起は、上記小冊子の上に延びることを特徴とする請求項１に記載のパッケージング。
【請求項１０】
上記突起部は、実質的に、上記凹部の対向する上記第１および第２の面の幅にわたって延びていることを特徴とする請求項９に記載のパッケージング。
【請求項１１】
上記管状のパッケージングの断面は、略三角形であり、上記凹部は、該三角形のパッケージングの２つの面の周りに広がっていることを特徴とする請求項２に記載のパッケージング。
【請求項１２】
上記２つの面のうち、第１の面の凹部は、少なくとも部分的に上記小冊子の第１の部分を収容するように構成され、上記２つの面のうち、第２の面の凹部は、少なくとも部分的に上記小冊子の第２の部分を収容するように構成され、上記小冊子がそのように配置されたとき、上記小冊子の背が三角形の上記パッケージングの上記２つの面をつなぐことを特徴とする請求項１１に記載のパッケージング。
【請求項１３】
上記凹部は、上記三角形のパッケージングの第３の面の周りに広がっていることを特徴とする請求項１２に記載のパッケージング。
【請求項１４】
上記第３の面の上記凹部は、少なくとも部分的に上記小冊子の第３の部分を収容するように構成され、上記小冊子がそのように配置されたとき、上記小冊子のもう一つの背は、上記三角形のパッケージングの上記第２の面と上記第３の面とをつなぐことを特徴とする請求項１３に記載のパッケージング。
【請求項１５】
上記雑誌を上記パッケージングに連結するための手段を含んでいることを特徴とする請求項１１〜１４のいずれか１項に記載のパッケージング。
【請求項１６】
上記連結するための手段は、食料品または飲料品のための第２のパッケージングであることを特徴とする請求項１５に記載のパッケージング。
【請求項１７】
上記小冊子は雑誌であることを特徴とする請求項１〜１６のいずれか１項に記載のパッケージング。
【請求項１８】
食料品または飲料品のためのパッケージングであって、
上記パッケージングは、その中に上記食料品または飲料品を保管するように構成され、略管状の本体と該本体の中に延びる中空の容器とを含んでおり、上記容器は、小冊子を収容するように構成され、その中に小冊子を収納することを特徴とするパッケージング。
【請求項１９】
上記中空の容器は、上記小冊子が巻かれた場合に、上記小冊子を収容する形状をしていることを特徴とする請求項１８に記載のパッケージング。
【請求項２０】
上記容器は、上記パッケージングの底部に開口しており、そこから上記管状の本体の中に延びていることを特徴とする請求項１８または１９に記載のパッケージング。
【請求項２１】
上記容器の開口端は、上記パッケージングの蓋に連結され、そこから管状の胴体の中に延びていることを特徴とする請求項１８または１９に記載のパッケージング。
【請求項２２】
上記容器は、上記蓋が上記パッケージングから取り外されたときに、上記パッケージングから取り外されるように構成されている請求項２１に記載のパッケージング。
【請求項２３】
上記小冊子は、雑誌であることを特徴とする請求項１８〜２２のいずれか１項に記載のパッケージング。
【請求項２４】
食料品または飲料品のためのパッケージングであって、
上記パッケージングは、その中に上記食料品または飲料品を保管するように構成され、上記パッケージングは、該パッケージングに連結された小冊子を含んでいることを特徴とするパッケージング。
【請求項２５】
上記小冊子は、上記パッケージングの外周の表面に連結されていることを特徴とする請求項２４に記載のパッケージング。
【請求項２６】
上記小冊子は、上記食料品または飲料品のための第２のパッキングによって、上記パッケージングの上記外周の表面に連結されていることを特徴とする請求項２５に記載のパッケージング。
【請求項２７】
上記第２のパッケージングは、上記食料品または飲料品のためのラベルであることを特徴とする請求項２６に記載のパッケージング。
【請求項２８】
上記小冊子は、包装材料によって、上記パッケージングの上記外周の表面に連結されることを特徴とする請求項２５に記載のパッケージング。
【請求項２９】
上記包装材料は、上記パッケージングの上記外周の表面に連結されたべースカバーと該ベースカバーに連結された外側カバーとを含み、それらの間に上記小冊子を保持していることを特徴とする請求項２８に記載のパッケージング。
【請求項３０】
上記ベースカバーは、上記包装材料が上記パッケージングの外周の表面の周りに巻きつけられるときに、少なくとも部分的に互いに滑りこむように構成されている第１および第２の部分を含んでいることを特徴とする請求項２９に記載のパッケージング。
【請求項３１】
上記ベースカバーおよび上記外側カバーは、上記包装材料が外周の表面の周りに巻かれるときに、結合されるように構成された材料でできていることを特徴とする請求項３０に記載のパッケージング。
【請求項３２】
上記パッケージングの外周の表面は管状であることを特徴とする請求項２８〜３１のいずれか１項に記載のパッケージング。
【請求項３３】
上記パッケージングは、ボトル形状であり、上記小冊子は、上記ボトルの首の上から上記ボトルの胴回りに広がるビブによって、パッケージングに連結されていることを特徴とする上記請求項２４に記載のパッケージング。
【請求項３４】
上記パッケージングは、ボトル形状であり、上記小冊子は、中空の容器によって、ボトルの首の上に、上記パッケージングに連結されていることを特徴とする上記請求項２４に記載のパッケージング。
【請求項３５】
上記中空の容器は、カップであることを特徴とする請求項３４に記載のパッケージング。
【請求項３６】
上記小冊子は、雑誌であることを特徴とする請求項２４から３５のいずれか１項に記載のパッケージング。
【請求項３７】
組み合わせにおける、請求項１〜２３のいずれか１項に記載のパッケージングであって、
該パッケージングに連結された小冊子を含んでいることを特徴とするパッケージング。
【請求項３８】
上記小冊子は、雑誌であることを特徴とする請求項３７に記載の組み合わせにおける、パッケージング。
【請求項３９】
小売店に小冊子を配布するための方法であって、
（ａ）上記小冊子を、請求項１〜２３のいずれか１項に記載の上記食料品または飲料品のためのパッケージングのそれぞれに連結するステップと、
（ｂ）連結された小冊子を有する、上記食料品または飲料品のためのパッケージングのそれぞれを、上記１つ以上の小売店に対して配布するステップとを含んでいることを特徴とする方法。
【請求項４０】
上記小冊子は、雑誌であることを特徴とする請求項３９に記載の方法。
【請求項４１】
上記パッケージングは、ボトルであることを特徴とする請求項３９または４０に記載の方法。
【請求項４２】
上記小冊子を印刷するステップを含んでいることを特徴とする請求項４１に記載の方法。
【請求項４３】
小売店に小冊子を配布するためのシステムであって、
（ａ）上記小冊子を、請求項１〜２３のいずれか１項に記載の上記食料品または飲料品のためのパッケージングのそれぞれに連結するステップと、
（ｂ）連結された小冊子を有する、上記食料品または飲料品のためのパッケージングのそれぞれを、上記１つ以上の小売店に対して配布するステップとを含んでいることを特徴とするシステム。
【請求項４４】
上記小冊子は、雑誌であることを特徴とする請求項４３に記載のシステム。
【請求項４５】
上記パッケージングはボトルであることを特徴とする請求項４２または４３に記載のシステム。
【請求項４６】
上記小冊子を印刷するステップを含んでいることを特徴とする請求項４３〜４５のいずれか１項に記載のシステム。
【請求項４７】
使い捨て商品のためのパッケージングであって、
上記パッケージングは、ニュースおよび／または娯楽記事を掲載している、あらかじめ定められた表面領域を備えていることを特徴とするパッケージング。
【請求項４８】
上記ニュースおよび／または娯楽記事は、地域社会において、特定の社会の人口統計に関連していることを特徴とする請求項４７に記載のパッケージング。
【請求項４９】
上記使い捨て商品は、消費可能な食料品または飲料品であることを特徴とする請求項４７または４８に記載のパッケージング。
【請求項５０】
ニュースおよび／または娯楽記事を公共に配布するための方法であって、
上記方法は、請求項４７〜４９のいずれか１項に記載のパッケージングを配布するステップを含んでいることを特徴とする方法。
【発明の詳細な説明】
【発明の詳細な説明】
【０００１】
〔技術分野〕
本発明は、使い捨て商品のためのパッケージングに関する。
【０００２】
〔発明の背景〕
最近では、人々は、水分を保つことによる健康上の効用を自覚するようになってきている。人々が水分を保つことを補助するために水のボトルを持ち歩くことはめずらしくない。水のボトルは、概して、例えば製造元の商標を表示する少なくとも１つのラベルを含んでいる。ラベルは、例えば製品の中身の起源についての簡単な宣伝文句など、製品の販売を助けるためにデザインされた他の情報を含んでいるかもしれない。しかしながら、ボトルのラベルおよび使い捨て商品のための容器の他の外観は、一般的に興味深い読み物とはならない。より詳細には、ラベルは、概してそれらが貼られている製品に関連する情報のみを含んでいる。
【０００３】
上述した１つ以上の問題点を克服または改良するか、あるいは、少なくとも有用な代替物を提供することが望ましい。
【０００４】
〔発明の要約〕
本発明の一つの局面に従えば、食料品または飲料品のためのパッケージングであって、上記パッケージングは、その中に上記食料品または飲料品を保管するように構成されており、上記パッケージングの外周の表面の凹部が、少なくとも部分的に、小冊子を収容する形状となっていることを特徴とするパッケージングが提供される。
【０００５】
好ましくは、上記パッケージングは、略管状である。
【０００６】
好ましくは、上記小冊子は雑誌である。
【０００７】
本発明の他の局面に従えば、食料品または飲料品のためのパッケージングであって、上記パッケージングは、その中に上記食料品または飲料品を保管するように構成され、略管状の本体と該本体の中に延びる中空の容器とを含んでおり、上記容器は、小冊子を収容するように構成され、その中に小冊子を収納することを特徴とするパッケージングが提供される。
【０００８】
好ましくは、上記小冊子は雑誌である。
【０００９】
本発明の他の局面に従えば、食料品または飲料品のためのパッケージングであって、
上記パッケージングは、その中に上記食料品または飲料品を保管するように構成され、上記パッケージングは、該パッケージングに連結された小冊子を含んでいることを特徴とするパッケージングが提供される。
【００１０】
好ましくは、上記小冊子は、包装材料によって、上記パッケージングの上記外周の表面に連結される。
【００１１】
好ましくは、上記包装材料は、上記パッケージングの上記外周の表面に連結されたべースカバーと該ベースカバーに連結された外側カバーとを含み、それらの間に上記小冊子を保持している。
【００１２】
好ましくは、上記ベースカバーは、上記包装材料が上記パッケージングの外周の表面の周りに包まれるときに、少なくとも部分的に互いに滑り合うように構成されている第１および第２の部分を含んでいる。
【００１３】
好ましくは、上記小冊子は雑誌である。
【００１４】
本発明の他の局面に従えば、組み合わせにおける、上記パッケージングと該パッケージングに連結される小冊子が提供される。
【００１５】
好ましくは、上記小冊子は雑誌である。
【００１６】
本発明の他の局面に従えば、小売店に小冊子を配布するための方法であって、
（ａ）上記小冊子を、上記食料品または飲料品のためのパッケージングのそれぞれに連結するステップと、
（ｂ）連結された小冊子を有する、上記食料品または飲料品のためのパッケージングのそれぞれを、上記１つ以上の小売店に対して配布するステップとを含んでいることを特徴とする方法が提供される。
【００１７】
好ましくは、上記小冊子は雑誌である。
【００１８】
本発明の他の局面に従えば、小売店に小冊子を配布するためのシステムであって、
（ａ）上記小冊子を、請求項１〜２３のいずれか１項に記載の上記食料品または飲料品のためのパッケージングのそれぞれに連結するステップと、
（ｂ）連結された小冊子を有する、上記食料品または飲料品のためのパッケージングのそれぞれを、上記１つ以上の小売店に対して配布するステップとを含んでいることを特徴とするシステムが提供される。
【００１９】
好ましくは、上記小冊子は雑誌である。
【００２０】
本発明の他の局面によれば、使い捨て商品のためのパッケージングであって、上記パッケージングは、ニュースおよび／または娯楽記事を掲載している、あらかじめ定められた表面領域を備えていることを特徴とするパッケージングが提供される。
【００２１】
本発明の他の局面によれば、ニュースおよび／または娯楽記事を公共に配布するための方法であって、上記方法は、上記パッケージングを配布するステップを含んでいることを特徴とする方法が提供される。
【００２２】
〔図面の簡単な説明〕
本発明の好ましい実施の形態が、限定されない単なる一例として、添付の図面を参照して、以下に記載される。
【００２３】
図１は、使い捨て商品のためのパッケージングの正面図である。
【００２４】
図２は、図１に示されるパッケージング用のラベルの平面図である。
【００２５】
図３は、使い捨て商品のための他のパッケージングの正面図である。
【００２６】
図４は、図３に示されるパッケージングの側面図である。
【００２７】
図５は、小冊子の正面図である。
【００２８】
図６は、図５に示される小冊子の側面図である。
【００２９】
図７は、図５に示される小冊子に連結された、図３に示されるパッケージングの正面図である。
【００３０】
図８は、図８に示されるパッケージングの側面図である。
【００３１】
図９は、パッチによって、図５に示される小冊子に連結された、図３に示されるパッケージングの正面図である。
【００３２】
図１０は、パッチによって、図５に示される小冊子に連結された、図３に示されるパッケージングの側面図である。
【００３３】
図１１は、使い捨て商品のための他のパッケージングの正面図である。
【００３４】
図１２は、図１１に示されるパッケージングの側面図である。
【００３５】
図１３は、図５に示される小冊子に連結された、図１１に示されるパッケージングの正面図である。
【００３６】
図１４は、図５に示される小冊子に連結された、図１１に示されるパッケージングの側面図である。
【００３７】
図１５は、使い捨て商品のための他のパッケージングの正面図である。
【００３８】
図１６は、図１５に示されるパッケージングの側面図である。
【００３９】
図１７は、小冊子に連結された、使い捨て商品のための他のパッケージングの正面図である。
【００４０】
図１８は、図１７に示されるパッケージングの側面図である。
【００４１】
図１９は、図１７に示される小冊子の平面図である。
【００４２】
図２０は、小冊子に連結された、使い捨て商品のための他のパッケージングの正面図である。
【００４３】
図２１は、使い捨て商品のための他のパッケージングの斜視図である。
【００４４】
図２２は、図２１に示される使い捨て商品に連結するための小冊子の斜視図である。
【００４５】
図２３は、図２２に示される小冊子の平面図である。
【００４６】
図２４は、図２２に示される小冊子に連結された、図２１に示されるパッケージングの斜視図である。
【００４７】
図２５は、使い捨て商品のための他のパッケージングの正面図である。
【００４８】
図２６は、小冊子に連結された、図２５に示されるパッケージングの側面図である。
【００４９】
図２７は、使い捨て商品のためのパッケージング正面図である。
【００５０】
図２８は、図２７に示されるパッケージングの部分分解図である。
【００５１】
図２９は、使い捨て商品のための他のパッケージングの正面図である。
【００５２】
図３０は、図２９に示されるパッケージングの一部の分解図である。
【００５３】
図３１は、使い捨て商品のための他のパッケージングの正面図である。
【００５４】
図３２は、図３１に示されるパッケージングの一部の部分分解図である。
【００５５】
図３３は、図３１に示されるパッケージングの底面図である。
【００５６】
図３４は、使い捨て商品のための他のパッケージングの正面図である。
【００５７】
図３５は、図３４に示されるパッケージングの側面図である。
【００５８】
図３６は、間に小冊子が配置された、図３４に示されるパッケージングのカバーラベルおよびベースラベルの側面図である。
【００５９】
図３７は、他の使用状況に置かれた、図３４に示されたパッケージングの平面図である。
【００６０】
図３８は、図３６に示されるベースラベルの平面図である。
【００６１】
図３９は、他の使用状況に置かれた、図３６に示されるベースラベルの平面図である。
【００６２】
図４０は、小冊子が載置された、図３６に示されるベースラベルの平面図である。
【００６３】
図４１は、図３６に示されたカバーラベルおよびベースラベルの平面図である。
【００６４】
図４２は、連結された雑誌を備えたボトル入りの水の製造および物流において、システムによって実行されるステップを示すフローーチャートである。
【００６５】
図４３は、連結された雑誌を備えた容ボトル入りの水の製造および物流において、システムによって実行されるステップを示すーチャートである。
【００６６】
図４４は、連結された雑誌を備えたボトル入りの水の製造および物流において、システムによって実行されるステップを示すフローーチャートである。
【００６７】
図４５は、連結された雑誌を備えたボトル入りの水の製造および物流において、システムによって実行されるステップを示すフローーチャートである。
【００６８】
〔本発明の好ましい実施の形態の詳細な説明〕
図１に示される使い捨て商品１２用のパッケージング１０は、水を持ち運ぶためのボトル１０である。パッケージング１０は、ボトル１０の外周の表面に固定されたラベル１４を含んでいる。ラベル１４は、図２に示されるように、他の広告の証印とともに、関係業者の商標と、娯楽および新聞記事を表示する所定の表面領域１６とを備えている。
【００６９】
新聞記事は、例えば現在のよりすぐりの事件記事や天気情報などを含んでいる。新聞記事は、また、健康やお金や政治などの情報を含んでいてもよい。娯楽記事は、例えば、言葉探しやパズルなどのゲームなどを含んでいる。娯楽の記事は、また、例えば伝記や著名人や歴史上の人物などの興味のあるトピックについての記事を含んでいてもよい。
【００７０】
新聞記事は、好ましくは、地域社会において、特定の社会の人口統計に興味をそそるように選択される。例えば、新聞記事は、クリケットやフットボールなどの男性用のスポーツニュースに向けられてもよい。新聞記事は、また、子供またはお年寄りにとって興味深い現在の出来事に向けられてもよい。
【００７１】
同様に、娯楽記事は、地域社会において、特定の社会の人口統計に興味をそそるように選択される。例えば、娯楽記事は、例えば詩や映画に興味のある人々に向けられてもよい。娯楽記事は、新しいレシピやデートや健康情報などに向けられてもよい。
【００７２】
有利には、上述したボトル１０の地域社会への供給は、新聞や娯楽を地域社会に広める。特に、小売店へのボトル１０の供給は、新聞や娯楽記事を地域社会に広める。
【００７３】
図３および図４に示される使い捨て商品２２の用のパッケージング２０は、通常、水を持ち運ぶのに適した例えば円筒形のボトル２０である。パッケージング２０は、あるいは、例えば、テトラパック、製菓包装、アルミニウム缶、およびダンボール箱内の食料品の一次包装であってもよい。パッケージング２０の外側の周辺側部は、少なくとも部分的に、図５および図６に示す小冊子２８の後側２６を収容する凹部２４を含んでいる。例えば小冊子２８が凹部２４内に収容される場合、小冊子２８の正面側３０は、通常、パッケージング２０の外周の表面と同一平面にある。あるいは、図７および図８に示されるように凹部２４内に収容される場合、小冊子２８の正面側３０は、パッケージング２０の外周の表面に隣接した状態にある。
【００７４】
小冊子２８は、好ましくは、雑誌２８、または本２８、または例えばカードなどの娯楽および／または新聞記事を掲載するのに適した他のあらゆる手段である。「小冊子」という用語は、以後、本、雑誌、カード、および印刷物や娯楽記事や新聞記事などの掲載に適した他のあらゆるデバイスを含めて用いられる。小冊子２８は、好ましくは、ボトル２０の外周の表面の形状に合わせて曲がることができる柔軟性のある材料でできている。
【００７５】
小冊子２８は、接着剤（図示せず）によってボトルのパッケージングに接続される。接着剤は、好ましくは小冊子が取り外し可能にボトル２０に連結されることを可能にする。
【００７６】
小冊子２８は、あるいは、図９および図１０に示される着脱可能なパッチ３２によってボトルに連結される。パッチ３２は、凹部２４を覆うように広がる形状であり、そのように配置された場合、小冊子２８を凹部２４の中の収容位置に固定する。パッチ３２は、好ましくは、接着剤によってボトル２０に着脱可能に取り付けられる。しかしながら、パッチ３２は、他の適した手段によってボトル２０に取り付けられてもよい。
【００７７】
あるいは、図１１および図１２に示されるように、小冊子は、凹部２４の対向する側面から互いに向かって延びるボトル上部および下部の突起３４ａ、３４ｂに連結されてもよい。小冊子２８が凹部２４の中に収容される場合、突起３４ａ、３４ｂは、図１３および図１４に示されるように、小冊子２８の正面側３０の上方に延び、小冊子２８を収容位置に保持する。ボトル２０は、凹部２４の他の側から互いに向かって延びる追加／代替の突起（図示せず）を含んでいてもよい。
【００７８】
図１５および図１６に示されるボトル２０は、あるいは、ボトル１０に小冊子２８を連結するための上部および下部の突起３６ａ、３６ｂを含んでいる。上部および下部の突起３６ａ、３６ｂは、凹部２４の反対側から互いに向かって延びている。突起３６ａ、３６ｂは、凹部２４のそれぞれの端の幅にわたって延びている。小冊子２８は、小冊子２８の第１の端を、凹部２４の上に突き出している上部突起３６ａによって定まる隙間に挿入し、小冊子２８の第２の端を、凹部２４に突き出している下部突起３６ｂによって定まる隙間に挿入することによって、ボトル２０に連結される。小冊子２８は、上記のように凹部２４の中に収容される場合、突起３６ａ、３６ｂは小冊子２８の正面側３０の上方に延び小冊子２８を収容位置に保持する。ボトル２０は、凹部２４の他の側から互いに向かって延びる追加／代替の突起（図示せず）を含んでいてもよい。
【００７９】
図１７および図１８に示される使い捨て商品４２用のパッケージング４０は、通常、例えば水の持ち運びに適した円筒形のボトル４０である。パッケージング４０は、あるいは、例えば、テトラパック、製菓包装、アルミニウム缶、およびダンボール箱内の食料品の一次包装であってもよい。ボトル４０は、ボトル４０の円筒形本体の周囲に広がるバンド４６によって、その片側に連結された小冊子４４を含んでいる。
【００８０】
小冊子４４は、好ましくは、雑誌、または本、または例えばカード４４のような娯楽および／または新聞記事を掲載するための他のあらゆる手段である。「小冊子」という用語は、本、雑誌、カード、または印刷物、娯楽記事、新聞記事などの掲載に適した他のあらゆるデバイスを含むことが意図されている。小冊子４４は、好ましくは、ボトル４０の形状に合わせて曲がることができる柔軟性のある材料でできている。
【００８１】
バンド４６は、好ましくは、ボトル４０の管状の本体の周りに巻き付けられ得るプラスティック材料でできている。バンド４６は、好ましくは、例えば接着剤によってボトル４０に固定される。小冊子４４は、図１９に示されるように、バンド４６を切断することによって、ボトル４０から分離できる。
【００８２】
あるいは、バンド４６は、弾性的にボトル４０の首の上から引き伸ばしてボトル４０の円筒形の本体の胴周りに配置され得る、伸縮自在に弾力性のある材料でできている。この実施形態では、小冊子４４は、接着剤によってバンド４６に連結される。小冊子４４は、バンド４６を弾性的に広げて、ボトル４０の首の上に引っ張ることによって、ボトル４０から取り外され得る。他に、小冊子４４は、バンド４６を切断することによってボトル４０から取り外され得る。
【００８３】
図２０に示される使い捨て商品５２用のパッケージング５０は、通常、例えば水の持ち運びに適した円筒形のボトル５０である。パッケージング５０は、あるいは、例えば、テトラパック、製菓包装、アルミニウム缶、およびダンボール箱内の食料品の一次包装であってもよい。ボトル５０は、例えば好適な接着剤によってその片側に連結される小冊子５４を含んでいる。
【００８４】
小冊子５４は、通常、一続きのパネルを含む材料の長方形のシートであり、それぞれは、上記材料において長軸方向の折り目によって、分けられている。第１のパネル５４ａは、例えば接着剤によってボトル５０の１つの側面に連結される。閉じた使用状況においては、第２のパネル５４ｂは第１のパネル５４ａを覆うように折り畳まれ、第３のパネル５４ｃは第２のパネル５４ｂを覆うように折り畳まれ、第４のパネル５４ｄは第３のパネル５４ｃを覆うように折り畳まれる。このように配置された場合、パネル５６は互いの上に重なり合い、接着剤のような留め具によってその位置に固定される。
【００８５】
図２０に示される、広がった使用状況においては、小冊子５４のパネル５４ａ、５４ｂ、５４ｃ、５４ｄは、掲載している印刷物が人によって読まれ得るように配置される。この配置において、第１のパネル５４ａを除く全てが、その両側に印刷物を掲載している。
【００８６】
図２１に示される使い捨て商品６２用のパッケージング６０は、例えば水やフルーツジュースの持ち運びに適した三角形の断面の管状のボトル６０である。パッケージング６０は、あるいは、例えば、テトラパック、製菓包装、アルミニウム缶、およびダンボール箱内の食料品の一次包装であってもよい。パッケージング２０の外周の側面部は、図２４に示されるように、図２２および図２３に示される小冊子６６を少なくとも部分的に収容する形状をした凹部６４を含んでいる。
【００８７】
小冊子６６は、好ましくは雑誌６６、あるいは例えばカードのような印刷物を掲載するための他のあらゆる手段である。小冊子６６は、パネル７０ａ、７０ｂ、７０ｃの３つのパネルを含んでおり、それぞれは長軸方向の背６８ａ、６８ｂによって分けられている。パネル７０ａ、７０ｂ、７０ｃは、それぞれ多数の例えば新聞記事や娯楽記事などの関連する印刷物のページ７２を含んでいる。２つの背６８ａ、６８ｂは、小冊子６６が、図２４に示されるようにボトル６０の凹部６４の中に収容されるように、概ね三角形状に配置されることを可能にする。そのように配置された場合、小冊子６６の外側のカバー７４は、通常、例えばパッケージング６０の外周の表面と同一平面上にある。あるいは、図２４に示されるように小冊子６４が凹部６４の中に配置された場合、小冊子６６の外側のカバー７４は、パッケージング６０の外周の表面と平行になる。
【００８８】
小冊子６６は、接着剤を用いてボトル６０に連結される。あるいは、小冊子は、小冊子は、ボトルの外周の表面を包みこむプラスティックによって、または、他のあらゆる適した手段によって、ボトル６０に連結されてもよい。
【００８９】
図２５および図２６に示される使い捨て商品８２用のパッケージング８０は、例えば水やフルーツジュースを持ち運ぶのに適したボトル８０である。ボトル８０は、ボトル８０の首８６からウェスト８８へ延びるビブ８４を含んでいる。ビブ８４の上部は、ボトル８０の蓋９２に合う適切なサイズの開口部９０を含む。ビブ８４は、ビブ８４の上部が上述したように配置される場合にボトル８０の首８６から掛けるのに適している。ビブ８４の下部は、また、ボトル８０の円筒形の本体を通すのに適したサイズの開口部（図示せず）を備えている。ビブ８４は、下部の開口部にボトル８０の首８６を通し、ビブの下部がボトル８０のウェスト８８の周りに位置するまで、ビブの下部をボトル８０の本体の下方にスライドさせることによってボトルに適合し得る。そのように配置された場合、ボトル８０の上部の開口部９０は蓋９２の上から配置され得る。
【００９０】
ビブ８４の裏面、すなわちボトル８０の外周の表面に位置する面は、ビブに連結された小冊子９４を含んでいる。小冊子９４は、好ましくは、接着剤によってビブ８４に連結される。しかしながら、小冊子９４は、他にも、他の適したあらゆる手段によってビブ８４に連結されてもよい。小冊子９４は、好ましくは、雑誌９０、または例えば新聞記事や娯楽記事など、選ばれた印刷物を掲載するのに適した他のあらゆる手段である。
【００９１】
小冊子９４は、ボトル８０からビブ８４を引き裂くことによって、あるいはボトル８０の首にビブ８４をスライドさせて持ち上げることによって利用可能となる。
【００９２】
図２７および図２８に示される使い捨て商品１０２用のパッケージング１００は、例えば、水やソフトドリンクや他の食品の持ち運びに適している。ボトル１００の首１０４は、ボトル１００の口に選択的に連結されるのに適した蓋１０６を含んでいる。蓋１０６は、例えばねじ山によってボトル１００に連結される。
【００９３】
ボトル１００は、ボトル１００の首１０４にはめこまれて、後で飲用容器として使用され得るカップ１０８を含んでいる。カップ１０８は、好ましくは、カップ１０８の縁の内側の面に、ボトル１００の首１０４の外周の表面の周りに形成された対応する凹部１１０に嵌合する形状をした、１つ以上の隆起した突起部（図示せず）を、含んでいる。突起部は、上述したようにカップ１０８がボトル１００に嵌められた場合、凹部１１０に収容されるように配置される。カップ１０８は、その結果、ボトル１００に固定される。あるいは、カップ１０８は、他のあらゆる適した手段によってボトルに固定されてもよい。
【００９４】
カップ１０８は、その中に収容される小冊子１１２を含んでいる。小冊子１１２は、好ましくは雑誌１１２である。雑誌１１２は、上述したようにカップ１０８がボトル１００に嵌められた場合、ボトル１００に連結される。
【００９５】
図２９に示される使い捨て商品１２２用のパッケージング１２０は、例えば水やソフトドリンクや他の食品の持ち運びに適したボトル１２０である。ボトル１２０の首１２４は、ボトル１２０の口に選択的に連結される蓋１２６を含んでいる。蓋１２６は、例えばネジ山によってボトルに連結される。
【００９６】
蓋１２６は、図３０に示されるように、一方の端１３０において閉じており、他方の端１３２において開いている管状部材１２８を含んでいる。管状部材１２８の開いた端１３２は、蓋１２６がネジ山に嵌合してボトル１２０を閉めた場合、管状部材１２８がボトル１２０の中の下方に延びるように、蓋１２６の底面に連結される。管状部材１２８は、蓋１２６を回して外し、ボトル１２０から部材１２８を引き出すことによって使用可能になる。
【００９７】
管状部材１２８は、小冊子が管状部材１２８の中に完全に収容され得るように、その開いた端１３２を通じて小冊子１３４を受け入れるように構成される。小冊子１３４は、好ましくは、管状部材１２８の中への挿入のために、長手方向軸に沿って円筒形状に巻かれる。一度このようにして挿入されると、管状部材は蓋１２６に連結されて、それから蓋がネジ山によってボトル１２０に連結される。小冊子１３４は、その結果ボトル１２０に連結される。上述したように配置される場合、管状部材１２８は、好ましくは、小冊子１３４を、ボトル１２０の中身によって汚されることから防ぐ。
【００９８】
小冊子１３４は、例えば容器入りの水を通じて、消費者に配布される。小冊子１３４は、次のステップを実行することによって入手可能となる。
【００９９】
ａ．小売店または商店からボトル１２０を購入する
ｂ．蓋１２６を開ける
ｃ．ボトル１２０から管状部材１２８を引き抜く
ｄ．蓋１２６と管状部材１２８の開口端１３２とを分離する
ｅ．管状部材１２８の開口端１３２から小冊子１３４を引き出す
小冊子１３４は、好ましくは、新聞記事や娯楽記事やゲームなどの選ばれた印刷物などを含む雑誌１３４である。
【０１００】
図３１および図３２に示される使い捨て商品１４２のためのパッケージング１４０は、例えば水やソフトドリンクや他の食品を持ち運ぶのに適したボトル１４０である。ボトル１４０の首１４４は、ボトル１４０の開口部に選択的に連結されるように構成される蓋１４６を含んでいる。蓋１４６は、例えばネジ山によってボトルに連結される。
【０１０１】
ボトル１４０の底部１４８は、底部１４８から蓋１４６へ、ボトル１４０の中を上方に延びる凹部１５０を含んでいる。凹部１５０は、図３３に示されるように、上端１５２は閉じ、下端１５４が開いている管状の容器である。凹部１５０は、小冊子１５６がボトル１４０の中へ挿入されるように、下端１５４を通じて、小冊子１５６の端を収容するように構成されている。小冊子１５６は、好ましくは、凹部１５０への挿入のために、長手方向軸に沿って円筒形状に巻かれる。一度このように挿入されると、小冊子１５６は、好ましくは、弾性的に広がり、凹部１５０の壁面と接触して収容され、その結果ボトル１４０に連結される。
【０１０２】
小冊子１５６は、小売店または商店からボトル１４０を購入し、凹部１５０の開口端１５４から小冊子１５６を引き出すことによって入手可能となる。
【０１０３】
「小冊子」１５６という用語は、本やカードの１ページ以上に掲載される新聞記事や娯楽記事やゲームなどの選ばれた印刷物を含むことを意図されている。小冊子１５６は、好ましくは雑誌である。
【０１０４】
図３４または図３５に示される使い捨て食品または飲料パッケージング１６０は、例えば、水やソフトドリンクや他の食品または飲料の持ち運びに適したボトル１６０である。パッケージング１６０は、あるいは、例えば、テトラパック、製菓包装、アルミニウム缶、およびダンボール箱内の食料品の一次包装であってもよい。ボトル１６０は、通常、その上部から延びる首１６６を有する管状の本体１６４を含んでいる。ボトル１６０は、ボトル１６０の首１６６の開口部（図示せず）に選択的に連結されるように構成される蓋１６８を含んでいる。蓋１６８は、例えばネジ山によってボトル１６０に連結される。
【０１０５】
パッキング１６０は、図３６や図３７に示されるように、例えばラベルラミネート１７２によって、ボトル１６０の管状の本体１６４の外周の表面に連結される小冊子１７０を含んでいる。小冊子は、好ましくは雑誌１７０である。あるいは、小冊子１７０は、他の１つ以上の印刷物を掲載するのに適したあらゆる手段でもよい。ラベルラミネート１７２は、あるいは、小冊子１７０をボトル１６０に連結するのに適した他のあらゆる包装材料である。
【０１０６】
小冊子をボトル１６０に連結する場合に含まれるステップが以下に列挙される。
【０１０７】
ａ．図３８に示されるように、ベースラベルラミネート１７８の一般的に長方形の第１部分および第２部分１７４、１７６が、並んで配置される。
【０１０８】
ｂ．図３９に示されるように、ベースラベルラミネート１７８の第１部分１７６の非ラミネート部１７６ａが、ベースラベルラミネート１７８の第２部分１７４の非ラミネート部１７４ａに部分的に重なるように配置される。
【０１０９】
ｃ．図４０に示されるように、小冊子１７０は、ベースラベルラミネート１７８の第１および第２部分１７４、１７６の上に配置される。
【０１１０】
ｄ．図４１に示されるように、カバーラベル１８０は、ベースラベルラミネート１７８と小冊子１７０を覆うように配される。
【０１１１】
ｅ．ラベルラミネート１７２は、小冊子をその中に封入し、ボトル１６０の管状胴体１６４を覆うように巻かれる。
【０１１２】
ボトル１６０の管状胴体１６４を覆うようにラベルラミネート１７２を巻くステップは、例えば接着剤のような留め具によって、ボトルにベースラミネート１７８を連結するステップを含んでいる。管状胴体１６４を覆うようにラベルラミネート１７２を巻くステップは、また、ベースラベルラミネート１７８にカバーラベルラミネート１８０の封をするステップを含んでいる。小冊子１７０は、その結果、ボトルの管状胴体１６４の外周部に連結されるラミネート包装材料の中に密閉される。ラベルラミネート１７２は、ボトル１６０の一般的に円筒形状の管状胴体１６４の外周の表面を取り巻いており、ベースラベル１７８の第２の部分１７４の非ラミネート部１７４ａは、ベースラベル１７８の第１の部分１７６の非ラミネート部１７６ａの下に滑り込む。そのようにすることで、ベースラベルラミネート１７８は、ボトル１６０の管状胴体１６４の円筒形状の表面に巻かれたときに、集まってふくれることが少なくなる。この種のしわは、概して、２枚の平行な材料が湾曲した表面に巻かれる場合に発生する。
【０１１３】
小冊子１７０が上述したようにしてボトル１６０の管状胴体の周りに巻かれた場合、元の平らな状態の形状に、弾性的に戻ろうとする性質がある。この性質は「スプリングバック」として知られている。カバーラベルラミネート１８０をベースラベルラミネート１７８に連結する留め具は、好ましくは、カバーとベースラベルラミネート１８０、１７８との分離を防ぐのに十分強く、その結果、小冊子を所定の位置に保持する。留め具は、好ましくは、小冊子が利用可能となるように手でカバーとベースラベルラミネートとを分離することが可能となるように十分弱い。小冊子１７０は、好ましくは、３２ページの雑誌１７０である。
【０１１４】
他の実施形態では、上述した方法の小冊子１７０の連結に含まれるステップであって、第１の部分１７６の非ラミネート部１７６ａがベースラベルラミネート１７８の第２の部分１７４の非ラミネート部１７４ａに重なるように配置するステップは除外される。この実施形態では、ラベルラミネート１７２がボトル１６０の一般的に円筒形状の管状の本体１６４の外周の表面に巻きつくとき、第２部分１７４の非ラミネート部１７４ａが、ベースラベルラミネート１７８の第１部分１７６の非ラミネート部１７６ａの下に滑り込む。
【０１１５】
図４２に示されるシステム２００は、例えば雑誌が連結されたボトル入りの水の製造および流通において含まれる典型的なステップを含んでいる。システム２００は、ボトル入りの水および雑誌に関する限定されない例として示されている。しかしながら、システム２００は、食料品または飲料品のための他のあらゆる使い捨てパッケージングにも等しく適用できる。システム２００は以下のステップを含んでいる。
【０１１６】
ａ．ステップ２０２において、雑誌を草稿し、編集
ｂ．ステップ２０４において、消費者への流通のために複数の部数を印刷
ｃ．ステップ２０６において、ボトル用のラベルを製造
ｄ．ステップ２０８において、ボトルを製造
ｅ．ステップ２１０において、ボトル用のキャップを製造
ｆ．ステップ２１２において、ボトルを詰めるためのカートンを製造
ステップ２１４において、キャップ、カートン、ボトル、雑誌、およびラベルは、組み立ておよび包装のために関係する製造業者からボトラーに出荷される。雑誌は、上述した技術のいずれか一つに従って、ボトラーによってボトルに連結される。このプロセスが完了すると、ボトル入りの水のカートンは、それらがスーパーマーケット２００と卸売業者２２２とに送られる前に貯蔵される食料品倉庫２１６またはルート倉庫２１８のいずれかに出荷される。
【０１１７】
システム２００は、好ましくは、各水のボトルに６つの異なる雑誌のうちの１つをランダムに割り当てるステップを含んでいる。そうすることにより、水のボトルの各カートンは、関連した雑誌の混合を含んでいる。好ましくは、ラベルラミネート１７２は、例えばスーパーマーケットの冷蔵庫に製品が置かれているときに、雑誌のカバーが消費者によってはっきりと読まれ得るように、透明な材料でできている。
【０１１８】
図４３に示されるシステム２００においては、食料品倉庫２１６およびルート倉庫２１８は、１つの倉庫２２４に連結されている。ボトル入りの水のカートンは、スーパーマーケット２２０および卸売業者２２２に送られる前に、倉庫２２４において貯蔵される。図４４に示されるシステムにおいては、ボトル入りの水のカートンは、直接、ボトラーからスーパーマーケット２２０および卸売業者２２２に送られる。
【０１１９】
図４５に示されるシステム２００では、その後、ステップ２１４において、キャップ、カートン、ボトルは、組み立てのためにボトラーに出荷される。そして、一度組み立てられると、それらは、倉庫２２４に送られる。雑誌とラベルとは、ボトルに連結するために倉庫２２４に出荷される。雑誌は、上述した技術のいずれかに従って、ボトルに連結される。このプロセスが完了すると、ボトル入りの水のカートンは、スーパーマーケット２２０および卸売業者２２２に出荷される。
【０１２０】
我々は、本発明の具体的な実施の形態を示して説明したが、さらなる変形および改良が当業者に思い浮かぶ。我々は、そのことが理解されることを望み、それゆえ、本発明は示された特定の方法に制限されない。そして、我々は、添付の特許請求の範囲において、本発明の精神と範囲から逸脱しない全ての変形をカバーすることを意図している。
【図面の簡単な説明】
【０１２１】
【図１】使い捨て商品のためのパッケージングの正面図である。
【図２】図１に示されるパッケージング用のラベルの平面図である。
【図３】使い捨て商品のための他のパッケージングの正面図である。
【図４】図３に示されるパッケージングの側面図である。
【図５】小冊子の正面図である。
【図６】図５に示される小冊子の側面図である。
【図７】図５に示される小冊子に連結された、図３に示されるパッケージングの正面図である。
【図８】図８に示されるパッケージングの側面図である。
【図９】パッチによって図５に示される小冊子に連結された、図３に示されるパッケージングの正面図である。
【図１０】パッチによって図５に示される小冊子に連結された、図３に示されるパッケージングの側面図である。
【図１１】使い捨て商品のための他のパッケージングの正面図である。
【図１２】図１１に示されるパッケージングの側面図である。
【図１３】図５に示される小冊子に連結された、図１１に示されるパッケージングの正面図である。
【図１４】図５に示される小冊子に連結された、図１１に示されるパッケージングの側面図である。
【図１５】使い捨て商品のための他のパッケージングの正面図である。
【図１６】図１５に示されるパッケージングの側面図である。
【図１７】小冊子に連結された、使い捨て商品のための他のパッケージングの正面図である。
【図１８】図１７に示されるパッケージングの側面図である。
【図１９】図１７に示される小冊子の平面図である。
【図２０】小冊子に連結された、使い捨て商品のための他のパッケージングの正面図である。
【図２１】使い捨て商品のための他のパッケージングの斜視図である。
【図２２】図２１に示される使い捨て商品に連結するための小冊子の斜視図である。
【図２３】図２２に示される小冊子の平面図である。
【図２４】図２２に示される小冊子に連結された、図２１に示されるパッケージングの斜視図である。
【図２５】使い捨て商品のための他のパッケージングの正面図である。
【図２６】小冊子に連結された、図２５に示されるパッケージングの側面図である。
【図２７】使い捨て商品のためのパッケージング正面図である。
【図２８】図２７に示されるパッケージングの部分分解図である。
【図２９】使い捨て商品のための他のパッケージングの正面図である。
【図３０】図２９に示されるパッケージングの一部の分解図である。
【図３１】使い捨て商品のための他のパッケージングの正面図である。
【図３２】図３１に示されるパッケージングの一部の部分分解図である。
【図３３】図３１に示されるパッケージングの底面図である。
【図３４】使い捨て商品のための他のパッケージングの正面図である。
【図３５】図３４に示されるパッケージングの側面図である。
【図３６】間に小冊子が配置された、図３４に示されるパッケージングのカバーラベルおよびベースラベルの側面図である。
【図３７】他の使用状況に置かれた、図３４に示されたパッケージングの平面図である。
【図３８】図３６に示されるベースラベルの平面図である。
【図３９】他の使用状況に置かれた、図３６に示されるベースラベルの平面図である。
【図４０】小冊子が載置された、図３６に示されるベースラベルの平面図である。
【図４１】図３６に示されたカバーラベルおよびベースラベルの平面図である。
【図４２】連結された雑誌を備えたボトル入りの水の製造および物流において、システムによって実行されるステップを示すフローーチャートである。
【図４３】連結された雑誌を備えたボトル入りの水の製造および物流において、システムによって実行されるステップを示すフローーチャートである。
【図４４】連結された雑誌を備えたボトル入りの水の製造および物流において、システムによって実行されるステップを示すフローーチャートである。
【図４５】連結された雑誌を備えたボトル入りの水の製造および物流において、システムによって実行されるステップを示すフローーチャートである。
【図１】
2008522904.tif 000003
【図２】
2008522904.tif 000004
【図３】
2008522904.tif 000005
【図４】
2008522904.tif 000006
【図５】
2008522904.tif 000007
【図６】
2008522904.tif 000008
【図７】
2008522904.tif 000009
【図８】
2008522904.tif 000010
【図９】
2008522904.tif 000011
【図１０】
2008522904.tif 000012
【図１１】
2008522904.tif 000013
【図１２】
2008522904.tif 000014
【図１３】
2008522904.tif 000015
【図１４】
2008522904.tif 000016
【図１５】
2008522904.tif 000017
【図１６】
2008522904.tif 000018
【図１７】
2008522904.tif 000019
【図１８】
2008522904.tif 000020
【図１９】
2008522904.tif 000021
【図２０】
2008522904.tif 000022
【図２１】
2008522904.tif 000023
【図２２】
2008522904.tif 000024
【図２３】
2008522904.tif 000025
【図２４】
2008522904.tif 000026
【図２５】
2008522904.tif 000027
【図２６】
2008522904.tif 000028
【図２７】
2008522904.tif 000029
【図２８】
2008522904.tif 000030
【図２９】
2008522904.tif 000031
【図３０】
2008522904.tif 000032
【図３１】
2008522904.tif 000033
【図３２】
2008522904.tif 000034
【図３３】
2008522904.tif 000035
【図３４】
2008522904.tif 000036
【図３５】
2008522904.tif 000037
【図３６】
2008522904.tif 000038
【図３７】
2008522904.tif 000039
【図３８】
2008522904.tif 000040
【図３９】
2008522904.tif 000041
【図４０】
2008522904.tif 000042
【図４１】
2008522904.tif 000043
【図４２】
2008522904.tif 000044
【図４３】
2008522904.tif 000045
【図４４】
2008522904.tif 000046
【図４５】
2008522904.tif 000047
【国際調査報告】
2008522904.tif 000048
2008522904.tif 000049
2008522904.tif 000050
2008522904.tif 000051
2008522904.tif 000052
2008522904.tif 000053
2008522904.tif 000054